(57)【要約】　　　（修正有）【課題】自然力（光・風・微生物）を積極的に利用した生ゴミを処理する装置を提供する。【解決手段】土２の入った容器１の開口部に開閉可能な網３と透明又は半透明の蓋４を設けて、その土２の中で生ゴミを処理する。【選択図】　　　図１
2004058041.tif 000002
【特許請求の範囲】
【請求項１】
上部に開口を持った容器の開口部に、透明又は半透明の開閉可能な蓋を設ける事を特徴とする、自然力を積極利用した生ゴミ処理装置。
【請求項２】
前記開閉可能な蓋の内側、容器開口部に更に開閉可能な網を設け、蓋開放時も容器開口部を塞いでいる事を特徴とする自然力を積極利用した生ゴミ処理装置。
【請求項３】
前記容器又は前記蓋側面上方に、表面又は裏面に網を配した通風穴を設け、上記開閉可能な網との二重防虫構造とすることを特徴とした請求項１又は２記載の自然力を積極利用した生ゴミ処理装置。
【発明の詳細な説明】
【０００１】
【発明の属する技術分野】
本発明は、自然力（光・風・微生物）を積極利用した生ゴミコンポスト化装置に関する物である。
【０００２】
【従来の技術】
従来の技術として、様々な生ゴミコンポスト化装置があるが、手間や悪臭、そしてウジや蠅等の発生の問題や、自然環境の影響を受けやすいという問題があり、それら問題に対応する管理も難しいため、一般家庭ではあまり利用されていない。そのため、庭や畑のある家庭では利用されているものも多数あるが、マンションのベランダ等で気軽に使える装置は殆どない。
加えて、電気等人工的なエネルギーを使わない生ゴミコンポスト化装置は基本的には自然乾燥と微生物による分解を基本としているが、これは季節や天候による気温や湿度の条件や生ゴミの種類等に大きく影響され、容器内温度が上がりづらい、腐敗を起こす、空気循環が悪く好気性微生物の活動が妨げられる、湿気がこもりやすく減容化が進みづらい等の問題があるため、運用が難しいという難点がある。
また、手間や悪臭、管理の問題を解決するために電動の粉砕乾燥機を備えた生ゴミの減容化による生ゴミ処理機も普及しているが、その処理にはエネルギーコストがかかる。
【０００３】
【発明が解決しようとする課題】
従来の生ゴミコンポスト化装置では、機能的な問題として上記のように、容器内温度が上がりにくい、腐敗を起こす、空気循環が悪く好気性微生物の活動が妨げられる、湿気がこもりやすく減容化が進みにくいという欠点があった。また、大がかりな設備となってしまい、マンションのベランダ等で気軽に使えないという欠点もあった。本発明は、上記欠点を解消した新規な自然力を積極利用した生ゴミ処理機を得ることを目的とする。
【０００４】
【課題を解決するための手段】
本発明は、上記目的を達成するために以下の如く構成した物である。即ち底部に通水穴を設けた容器に開閉可能な網を設け、その上方に開閉可能で両側に傾斜部を設けた透明又は半透明の蓋を設けるという構成にした物である。
前記蓋の側面には、表面又は裏面に網を配した雨の降り込みを防ぐ構造を持った通風穴を設けるか、前記容器の側壁上方に前記の通風穴を設ける構成とする。
前記蓋は雨等の水分進入を防ぐのは基より、太陽光による温室効果及び紫外線による園芸土表層の生ゴミ分解を促進する役割があり、また両側に傾斜部を設けることもでき内部で発生した水滴を装置外に排出する事もできる。前記通風穴は、内部の湿気を排出すると共に好気性微生物の活動のために空気を循環させる効果もある。また、前記通風穴に設置された網により虫の進入を防ぐと共に、虫の卵産み付け及びその落下による、容器内の虫発生を防ぐ効果がある。
加えて、蓋の開閉及び蓋の内側に設置された網が蓋と別に開閉可能であることにより、季節や天候によって最適な状態に調節可能となっている。
上記、特に蓋の機能により、容器内温度が上がりづらい、腐敗を起こす、空気循環が悪く好気性微生物の活動が妨げられる、湿気がこもりやすく減容化が進みづらいという欠点も解消される。
この事については発明者の、１４リットルの植木鉢４ヶに園芸土を入れたものにステンレス製ふるいをかぶせてビニールの簡易温室内に入れて、その園芸土内で生ゴミを処理すると、自然力により日本の標準的な４人の家庭で排出される生ゴミのコンポスト化が可能であるという論文（平石、生物工学７７：４９３−５００（１９９９））によっても証明されている。尚、上記論文と同様の機器による実験データ（図４）を添付するが、６０日間で３９．５ｋｇの生ゴミ投入による機器全体の重量増加量は４．２ｋｇであり、減量率は８９％という結果も出ている。
また、構成も簡単で安価に作成可能であり、装置全体もコンパクト化され団地等のベランダでの使用も可能となる。
【０００５】
【発明の実施の形態】
以下、本発明の実施の形態を図面に基づいて説明する。実際の使用は、蓋▲４▼及び網▲３▼を開放し、水分を出来るだけきった生ゴミを容器内に投入後、一般的な小型スコップ等で土▲２▼内に埋め、蓋▲４▼及び網▲３▼を閉めるという工程で行われる。
【０００６】
【実施例】
以下、本発明の実施例を図面に基づいて説明する。図面において、図１は本発明の実施例を示す装置全体の概略正面図及び概略断面図、図２は図１の概略側断面図、図３は概略上面図及び概略断面図である。図１において、容器▲１▼に土▲２▼を入れ、開閉可能な網▲３▼を設け、その上方に開閉可能な蓋▲４▼を設けてなる。
【０００７】
上記容器▲１▼は、生ゴミの湿気を積極的に逃がすために底部に水抜き用穴▲１４▼を設け、蓋▲４▼閉時の空気循環用に通風穴▲５▼を側壁上部に設ける。なお、通風穴▲５▼は蓋▲４▼に設けても構わない。即ち通風穴▲５▼については、土▲２▼の表層の乾燥を促し、好気性微生物の活動を促進するために空気が循環する構造となっていればよい。また、本実施例では容器▲１▼がブロー成形による二重壁で形成されているが、一枚壁の容器でも構わない。但し、発明者の研究及び論文内容から土▲２▼の温度を高く保つ事により好気性微生物の活性が高まるため、保温に有利な二重壁で形成されている方が望ましい。
【０００８】
上記容器▲１▼は深さ約３５ｃｍ、容量約６０ｌの容量を持つ。但し、本実施例は日本の一般的な４人以内の家庭用の装置事例であり、それ以上の人数に対応する場合容量を比例的に増す事もできる。つまり本実施例の大きさは一例であり対象人数によっては変更しうる物とする。
【０００９】
上記通風穴▲５▼は、その内側又は外側に網▲６▼を設ける。また前記通風穴▲５▼は、内部の除湿と空気循環が可能で、雨の降り込みを防ぐ構造を持っていれば良く、本実施例においてはルーバー状としているが、例えば筒を側方に出っ張らせた様な物でも良い。
【００１０】
上記網▲３▼は、容器上面に網開閉用蝶番▲７▼により取り付いており、容易に開閉することが出来る。
【００１１】
上記蓋▲４▼は、上記網▲３▼の上方に取り付けられ、積極的に太陽光を透過させるため透明又は半透明のガラス又は合成樹脂製とし、蓋開閉用蝶番▲８▼により容易に開閉可能となっており、ステー▲９▼によって開放状態を安定して保つことが可能である。また、本実施例では生ゴミのコンポスト化により発生する水蒸気の結露による水滴が、容器▲１▼内に落下するのを防ぐため、その断面を円弧状として水滴が蓋▲４▼内面を伝わって容器▲１▼の全面及び背面にある水滴排出溝▲１３▼より排出される仕組みとなっているが、蓋▲４▼の形状はその裏面を水滴が伝わって容器▲１▼外へ排出される仕組みとなっていればよい。
【００１２】
上記土▲２▼は、上記水抜き用穴▲１４▼を園芸用ネット▲１０▼等により通水可能な状態に塞いだ上投入する。また、上記土▲２▼の水分による溶け出しを抑制するため、本実施例では土▲２▼の下側に市販赤玉土▲１１▼及び市販砂利▲１２▼を敷いてあるが、溶け出しが心配されない場合には除く事もできる。
【００１３】
【発明の効果】
以上の説明から明らかな如く、本発明は一切の電気等の人工的エネルギーを使用せず、特に透明又は半透明の蓋の効果により自然力のみで生ゴミを処理できると共に、従来の技術におけるコンポスト化容器の欠点と使い勝手の課題も解決出来る構成となっている。
【図面の簡単な説明】
【図１】本発明の実施例を示す装置全体の概略正面図及び概略断面図
【図２】本発明の実施例を示す装置全体の概略側断面図
【図３】本発明の実施例を示す装置全体の概略上面図及び概略断面図
【図４】本発明の発明者による運用実験データ
【符号の説明】
▲１▼容器
▲２▼土
▲３▼網
▲４▼蓋
▲５▼通風穴
▲６▼網
▲７▼網開閉用蝶番
▲８▼蓋開閉用蝶番
▲９▼ステー
▲１０▼園芸用ネット
▲１１▼市販赤玉土
▲１２▼市販砂利
▲１３▼水滴排出溝
▲１４▼水抜き用穴
【図１】
2004058041.tif 000003
【図２】
2004058041.tif 000004
【図３】
2004058041.tif 000005
【図４】
2004058041.tif 000006